(57)【要約】【課題】点灯時のノイズの発生を低減することができ、そして製造が容易な電球を提供すること。【解決手段】外部への電気的接続を可能にする一対の端子を底部に有する透光性バルブ、一対の端子のそれぞれからバルブの内側にて上方に伸びる一対の棒状導電性支持体、これらの棒状導電性支持体のそれぞれの頂部付近の部位の間に張り渡された第一の絶縁性支持梁、そして第一の絶縁性支持梁から間隔をおいて下側の位置にて棒状導電性支持体間に張り渡された第二の絶縁性支持梁からなり、別に作製された複数のコイル部と複数の非コイル部とが交互に形成されてなる一本のフィラメントを、一方の導電性支持体と他方の導電性支持体との間に、各非コイル部を湾曲もしくは屈曲させて各コイル部を順次隣接並列するように配置させ、かつ各非コイル部を各絶縁性支持梁に交互に固定して張り渡してなる電球。【選択図】図１
2007250375.tif 000002
【特許請求の範囲】
【請求項１】
外部への電気的接続を可能にする一対の端子を底部に有する透光性バルブ、該一対の端子のそれぞれからバルブの内側にて上方に伸びる一対の棒状導電性支持体、該棒状導電性支持体のそれぞれの頂部付近の部位の間に張り渡された第一の絶縁性支持梁、そして該絶縁性支持梁から間隔をおいて下側の位置にて棒状導電性支持体間に張り渡された第二の絶縁性支持梁からなり、別に作製された複数のコイル部と複数の非コイル部とが交互に形成されてなる一本のフィラメントを、一方の導電性支持体と他方の導電性支持体との間に、各非コイル部を湾曲もしくは屈曲させて各コイル部を順次隣接並列するように配置させ、かつ各非コイル部を各絶縁性支持梁に交互に固定して張り渡してなる電球。
【請求項２】
外部への電気的接続を可能にする一対の端子を底部に有する透光性バルブ、該一対の端子のそれぞれからバルブの内側にて上方に伸びる一対の棒状導電性支持体、該棒状導電性支持体のそれぞれの頂部付近の部位の間に張り渡された第一の絶縁性支持梁、該絶縁性支持梁に固定され上方に伸びる支柱、そして該支柱に第一の絶縁性支持梁から間隔をおいて上側の位置にて固定されている第二の絶縁性支持梁からなり、別に作製された複数のコイル部と複数の非コイル部とが交互に形成されてなる一本のフィラメントを、一方の導電性支持体と他方の導電性支持体との間に、各非コイル部を湾曲もしくは屈曲させて各コイル部を順次隣接並列するように配置させ、かつ各非コイル部を各絶縁性支持梁に交互に固定して張り渡してなる電球。
【請求項３】
各絶縁性支持梁が溶融性無機ガラス材料からなり、非コイル部の各絶縁性支持梁への固定が、非コイル部への溶融性無機ガラス材料の融着により実現している請求項１もしくは２に記載の電球。
【請求項４】
溶融性無機ガラス材料の融着が各非コイル部の湾曲部位もしくは屈曲部位にて行なわれている請求項３に記載の電球。
【請求項５】
隣接配置されたコイル部の巻き方向が互いに逆の関係にある請求項１乃至４のうちのいずれかの項に記載の電球。
【請求項６】
バルブ内にハロゲンガスもしくはハロゲン化合物ガスが封入されている請求項１乃至５のうちのいずれかの項に記載の電球。                                                                               
【発明の詳細な説明】
【技術分野】
【０００１】
本発明は、舞台あるいは放送局のスタジオの照明器具に有利に用いることができる電球に関する。
【背景技術】
【０００２】
演劇やコンサートが行なわれる舞台、あるいは放送局のスタジオには、各種の照明器具が備えられている。これらの照明器具には、通常は、ハロゲン電球が用いられている。このような用途に用いるハロゲン電球は、演劇、コンサートあるいは放送番組を高い品質で提供あるいは記録するために、点灯時に発生するノイズが小さいものであることが望ましい。
【０００３】
図５は、従来のハロゲン電球の構成例を示す正面図である。図５の電球５０は、一対の外部リード棒（端子）５１ａ、５１ｂを有する透光性バルブ５２、各々の外部リード棒からバルブ内部にて上方に伸びる一対の内部リード棒（棒状導電性支持体）５３ａ、５３ｂ、そして一対の内部リード棒５３ａ、５３ｂの間に張り渡されている、フィラメント５４及びその上下に配置された一対のガラス片（絶縁性支持梁）５５ａ、５５ｂなどから構成されている。図５の電球５０のフィラメント５４は、複数のコイル部５４ａと複数の非コイル部５４ｂとが交互に形成された構成を有しており、各々ガラス片に固定された複数のアンカー線（鉤状の支持具）５６によって支持されている。そして電球を長時間点灯した場合の透孔性バルブやフィラメントの黒化を防止するために、バルブ５２の内部にはハロゲンあるいはハロゲン化合物が封入されている。
【０００４】
図６は、特許文献１に記載の従来の電球の構成例を示す正面図である。図６の電球６０においては、一対のガラス片５５ａ、５５ｂが支柱６１を介して互いに接続されており、その下側のガラス片５５ｂが一対の内部リード棒５３ａ、５３ｂの間に張り渡されている。一対のガラス片５５ａ、５５ｂの間には複数のコイルセグメント６２が配置されており、これら複数のコイルセグメント６２は、各々のコイルセグメントの両端にねじ込まれている複数のサブコイル６３と、各々ガラス片に固定され、隣接するサブコイルを互いに接続している複数のＵ字状の接続部材６４とによって支持されている。
【０００５】
そして同文献においては、図５に示すような、フィラメント５４の非コイル部５４ｂがアンカー線５６に引っ掛けられて支持されている電球５０は、電球を点灯時にバルブ内にて発生する磁界によってフィラメントが振動した際にフィラメント５４とアンカー線５６とが擦れ合ってノイズを発生し易いとされ、これに対して図６の電球６０は、アンカー線を備えていないため（各々のコイルセグメント６２とサブコイル６３とが互いにねじ込み固定されているため）にノイズを発生し難いとされている。
【特許文献１】実開平５−２５６５５号公報
【発明の開示】
【発明が解決しようとする課題】
【０００６】
上記のように、図６の電球６０は、アンカー線を備えていないために点灯時にノイズを発生し難い。しかしながら、図６の電球６０の製造には、複数のコイルセグメント６２、サブコイル６３及び接続部材６４を別々に作製し、そして複数の接続部材６４の各々にサブコイル６３を固定し、次いで各々のサブコイル６３とコイルセグメント６２とを互いにねじ込み固定するという手間のかかる作業を必要とする。
【０００７】
本発明の課題は、点灯時のノイズの発生を低減することができ、そして製造が容易な電球を提供することにある。
【課題を解決するための手段】
【０００８】
本発明は、外部への電気的接続を可能にする一対の端子を底部に有する透光性バルブ、一対の端子のそれぞれからバルブの内側にて上方に伸びる一対の棒状導電性支持体、これらの棒状導電性支持体のそれぞれの頂部付近の部位の間に張り渡された第一の絶縁性支持梁、そして第一の絶縁性支持梁から間隔をおいて下側の位置にて棒状導電性支持体間に張り渡された第二の絶縁性支持梁からなり、別に作製された複数のコイル部と複数の非コイル部とが交互に形成されてなる一本のフィラメントを、一方の導電性支持体と他方の導電性支持体との間に、各非コイル部を湾曲もしくは屈曲させて各コイル部を順次隣接並列するように配置させ、かつ各非コイル部を各絶縁性支持梁に交互に固定して張り渡してなる電球にある。
【０００９】
本発明はまた、外部への電気的接続を可能にする一対の端子を底部に有する透光性バルブ、一対の端子のそれぞれからバルブの内側にて上方に伸びる一対の棒状導電性支持体、これらの棒状導電性支持体のそれぞれの頂部付近の部位の間に張り渡された第一の絶縁性支持梁、第一の絶縁性支持梁に固定され上方に伸びる支柱、そしてこの支柱に第一の絶縁性支持梁から間隔をおいて上側の位置にて固定されている第二の絶縁性支持梁からなり、別に作製された複数のコイル部と複数の非コイル部とが交互に形成されてなる一本のフィラメントを、一方の導電性支持体と他方の導電性支持体との間に、各非コイル部を湾曲もしくは屈曲させて各コイル部を順次隣接並列するように配置させ、かつ各非コイル部を各絶縁性支持梁に交互に固定して張り渡してなる電球にもある。
【００１０】
これらの本発明の電球の好ましい態様は、次の通りである。
（１）各絶縁性支持梁が溶融性無機ガラス材料からなり、非コイル部の各絶縁性支持梁への固定が、非コイル部への溶融性無機ガラス材料の融着により実現している。
（２）溶融性無機ガラス材料の融着が各非コイル部の湾曲部位もしくは屈曲部位にて行なわれている。
（３）隣接配置されたコイル部の巻き方向が互いに逆の関係にある。
（４）バルブ内にハロゲンガスもしくはハロゲン化合物ガスが封入されている。
【００１１】
なお、本明細書でいう「非コイル部の屈曲部位」には、非コイル部の電球の長さ方向に対して傾斜している直線状の部位を含む。
【発明の効果】
【００１２】
本発明の電球は、透光性バルブの内部にてフィラメントを支持するためにアンカー線を使用していない（フィラメントがその非コイル部にて絶縁性支持梁に直接に固定支持されている）ため、その点灯時のノイズの発生を低減することができる。本発明の電球はまた、そのフィラメントとして、複数のコイル部と上記の絶縁性支持梁に固定される複数の非コイル部とが交互に形成された一本のフィラメントを用いるために、その製造も容易である。
【発明を実施するための最良の形態】
【００１３】
本発明の電球を、添付の図面を用いて説明する。
【００１４】
図１は、本発明の電球の構成例を示す正面図である。図１の電球１０は、外部への電気的接続を可能にする一対の端子１１ａ、１１ｂを底部に有する透光性バルブ１２、一対の端子１１ａ、１１ｂのそれぞれからバルブ１２の内側にて上方に伸びる一対の棒状導電性支持体１３ａ、１３ｂ、棒状導電性支持体１３ａ、１３ｂのそれぞれの頂部付近の部位の間に張り渡された第一の絶縁性支持梁１４ａ、そして第一の絶縁性支持梁１４ａから間隔をおいて下側の位置にて棒状導電性支持体１３ａ、１３ｂの間に張り渡された第二の絶縁性支持梁１４ｂからなり、別に作製された、複数のコイル部１５ａと複数の非コイル部１５ｂとが交互に形成されてなる一本のフィラメント１５を、一方の導電性支持体１３ａと他方の導電性支持体と１３ｂとの間に、各非コイル部１５ｂを湾曲させて各コイル部１５ａを順次隣接並列するように配置させ、かつ各非コイル部１５ｂを各絶縁性支持梁に交互に固定して張り渡すことにより構成されている。
【００１５】
電球１０の透光性バルブ１２は、例えば、石英ガラスから形成される。また、一対の端子１１ａ、１１ｂ、および棒状導電性支持体１３ａ、１３ｂの各々は、例えば、タングステンなどの金属材料から形成され、バルブ１２の底部壁体内にて、モリブデン箔などの金属箔１８ａ、１８ｂを介して互いに電気的に接続されている。そして、棒状導電性支持体１３ａ、１３ｂの間に張り渡されたフィラメントコイル１５は、例えば、タングステンから形成され、その各々の非コイル部１５ｂにて絶縁性支持梁１４ａ、１４ｂの各々に固定され支持されている。
【００１６】
電球１０には、例えば、一対の棒状電極端子１９ａ、１９ｂを持つバイポスト型の口金１９が備えられている。この口金１９の一対の棒状電極端子１９ａ、１９ｂは、導電線２０ａ、２０ｂ、そして金属箔２１ａ、２１ｂを介して端子１１ａ、１１ｂの各々と電気的に接続されている。
【００１７】
電球１０は、その口金１９の一対の棒状電極端子１９ａ、１９ｂに電気的エネルギー（例えば、交流電圧）を付与すると、この電気的エネルギーが導電線２０ａ、２０ｂ、金属箔２１ａ、２１ｂ、端子１１ａ、１１ｂ、金属箔１８ａ、１８ｂ、そして棒状導電性支持体１３ａ、１３ｂを介してフィラメント１５に付与されて、そのフィラメント１５が白熱して点灯（発光）する。
【００１８】
図１に示すように、電球１０は、そのフィラメント１５が非コイル部１５ｂにて各絶縁性支持梁に直接に固定支持されており、フィラメントを支持するためにアンカー線を使用していない。このため、電球１０は、前記の文献に記載されているように電球点灯時にバルブ１２の内部にて発生した磁界によって各々のコイル部１５ａが振動した場合であっても、その点灯時のノイズの発生を低減することができる。また、電球１０は、そのフィラメントとして、複数のコイル部１５ａと複数の非コイル部１５ｂとが交互に形成された一本のフィラメントを用いるために、その製造も容易である。
【００１９】
電球１０においては、絶縁性支持梁１４ａ、１４ｂの各々が溶融性無機ガラス材料から形成され、非コイル部１５ｂの各絶縁性支持梁への固定が、非コイル部への溶融性無機ガラス材料の融着により実現していることが好ましい。長期間にわたり電球を使用した場合であっても、フィラメントの非コイル部と絶縁性支持梁との確実な固定状態を維持することができ、低ノイズの特性を安定に示すからである。
【００２０】
更に、上記の溶融性無機ガラス材料の融着は、各非コイル部の湾曲部位もしくは屈曲部位にて行なわれていることが好ましい。図１の電球１０の場合には、フィラメント１５の各非コイル部１５ｂの湾曲部位１７にて融着が行なわれている。
【００２１】
例えば、前記の図５の電球５０の場合にはアンカー線５６の直線状の部位にて、そして図６の電球６０の場合には接続部材６４の直線状の部位にてガラス片５５ａ、５５ｂとの融着が行なわれている。このようにして、アンカー線５６あるいは接続部材６４とガラス片５５ａ、５５ｂとを融着により互いに固定すると、融着の際の加熱（あるいは融着後の冷却）過程において、両者の膨張率が互いに異なることが原因で、両者の固定部に僅かに隙間を生じ易い。このような隙間が存在すると、電球点灯時にフィラメント５４あるいはコイルセグメント６２が振動した際に、アンカー線５６や接続部材６４が上下方向に振動してノイズを発生し易くなる。
【００２２】
図１の電球１０のように、フィラメント１５の各非コイル部１５ｂの湾曲部位１７にて融着を行なうことにより、各非コイル部が上下方向に振動し難くなるため、電球点灯時のノイズの発生を更に低減することができる。なお、フィラメントの非コイル部が屈曲部位を有する場合には、この屈曲部にて融着が行なわれていてもよい。また、フィラメントの非コイル部がその湾曲部位もしくは屈曲部位にて融着されていれば、上側の非コイル部の頂部は第一の絶縁性支持梁よりも上方に突き出ていてもよく、そして下側の非コイル部の底部は第二の絶縁性支持梁よりも下方に突き出ていてもよい。
【００２３】
また、本発明の電球のバルブ内部には、ハロゲンガスもしくはハロゲン化合物ガスが封入されていることが好ましい。ハロゲンガスもしくはハロゲン化合物ガスがバルブ内に封入された電球は、一般に、ハロゲン電球と呼ばれている。ハロゲンガスもしくはハロゲン化合物ガスを封入することにより、バルブやフィラメントの黒化が防止される。バルブ内部には、ハロゲンガスもしくはハロゲン化合物ガスの他にも、窒素ガス、酸素ガス、アルゴンガスなどを封入してもよい。図１の電球１０のバルブ１２の内部には、例えば、ハロゲン化合物（ＣＨ2Ｂｒ2、ＣＨ2Ｃｌ2、あるいはＣＨ2Ｂｒ2及びＣＨ2Ｃｌ2）のガスに加え、酸素ガス及び窒素ガスが封入される。
【００２４】
図２は、本発明の電球の別の構成例を示す正面図である。図２の電球２０の構成は、バルブ１２の内部にて隣接配置されたコイル部１５ａの巻き方向が互いに逆の関係にあること以外は図１の電球１０と同様である。このように、バルブ１２の内部にて隣接配置されたコイル部１５ａの巻き方向が互いに逆の関係にあると、電球点灯時のノイズの発生を更に低減することができる。その理由は、次のように理解される。
【００２５】
図１の電球１０及び図２の電球２０の各々は、それぞれ第一の絶縁性支持梁１４ａと第二の絶縁性支持梁１４ｂとの間に合計で六個のコイル部１５ａを備えている。そして図１の電球１０の各々のコイル部の巻き方向は、例えば、その軸を中心にして図の上方から見て時計回り方向に設定される。一方、図２の電球２０においては、例えば、その左端のコイル部の巻き方向は図１の電球のコイル部と同様に時計回り方向に、左から二番目のコイル部の巻き方向は反時計回り方向に、そして左から三番目のコイル部の巻き方向は時計回り方向に、すなわち隣接するコイル部の巻き方向が互いに逆の関係を持つように各コイル部の巻き方向が設定される。
【００２６】
例えば、図１の電球１０のフィラメント１５に、その棒状導電性支持体１３ａの側から棒状導電性支持体１３ｂの側へと向かう電流が流れている場合には、その左端のコイル部は、その下端から隣のコイル（すなわち左から二番目のコイル）との間を通って上端へと向かう磁界を発生し、そして左から二番目のコイル部は、その上端から隣のコイル（すなわち左端のコイル）との間を通って下端へと向かう磁界を発生する。
【００２７】
一方、図２の電球２０のフィラメント１５に、上記の電球１０の場合と同じ向きに電流が流れている場合には、その左端のコイル部は、その下端から隣のコイルとの間を通って上端へと向かう磁界を発生し、そして左から二番目のコイル部は、その巻き方向が左端のコイル部とは逆の関係にあるために、その下端から隣のコイル（すなわち左端のコイル）との間を通って上端へと向かう磁界を発生する。
【００２８】
このように、図２の電球２０は、隣接配置されたコイル部の巻き方向が互いに逆の関係にあり、そのバルブの内部に、隣接配置されたコイル部の巻き方向が互いに同一の関係にある電球の場合とは大きく異なる磁界を発生する。このような違いにより、電球２０は、その点灯時における各コイル部の振動の発生を抑制することができ、そして各コイル部が振動した場合にもノイズを生じ難い構成（フィラメントが非コイル部にて各々の絶縁性支持梁に支持固定された構成）を有しているために、電球点灯時のノイズの発生を更に低減することができると理解される。
【００２９】
図３は、本発明の電球の更に別の構成例を示す正面図であり、そして図４は、図３の電球の左側面図である。図３の電球３０は、外部への電気的接続を可能にする一対の端子１１ａ、１１ｂを底部に有する透光性バルブ１２、一対の端子１１ａ、１１ｂのそれぞれからバルブ１２の内側にて上方に伸びる一対の棒状導電性支持体１３ａ、１３ｂ、棒状導電性支持体１３ａ、１３ｂのそれぞれの頂部付近の部位の間に張り渡された第一の絶縁性支持梁１４ａ、第一の絶縁性支持梁１４ａに固定され上方に伸びる支柱１６、そして支柱１６に第一の絶縁性支持梁１４ａから間隔をおいて上側の位置にて固定されている第二の絶縁性支持梁１４ｂからなり、別に作製された、複数のコイル部１５ａと複数の非コイル部１５ｂとが交互に形成されてなる一本のフィラメント１５を、一方の導電性支持体１３ａと他方の導電性支持体１３ｂとの間に、各非コイル部１５ｂを湾曲させて各コイル部１５ａを順次隣接並列するように配置させ、かつ各非コイル部１５ｂを各絶縁性支持梁に交互に固定して張り渡すことにより構成されている。
【００３０】
図３の電球３０の構成は、第一の絶縁性支持梁１４ａと第二の絶縁性支持梁１４ｂとが
、支柱１６を介して互いに接続されていること以外は図２に示す電球２０と同様である。
【００３１】
図３の電球３０もまた、透光性バルブ１２の内部にてフィラメント１５を支持するためにアンカー線を使用しておらず（フィラメントがその非コイル部にて絶縁性支持梁に直接に固定支持している）、更にはフィラメント１５が隣接するコイル部の巻き方向が互いに逆の関係となるよう構成されているため、その点灯時のノイズの発生を低減することができ、そしてフィラメント１５として、複数のコイル部１５ａと複数の非コイル部１５ｂとが交互に形成された一本のフィラメント１５を用いるために、その製造も容易である。
【図面の簡単な説明】
【００３２】
【図１】本発明の電球の構成例を示す正面図である。
【図２】本発明の電球の別の構成例を示す正面図である。
【図３】本発明の電球の更に別の構成例を示す正面図である。
【図４】図３の電球の左側面図である。
【図５】従来の電球の構成例を示す正面図である。
【図６】従来の電球の別の構成例を示す正面図である。
【符号の説明】
【００３３】
１０、２０、３０  電球
１１ａ、１１ｂ  端子
１２  透光性バルブ
１３ａ、１３ｂ  棒状導電性支持体
１４ａ  第一の絶縁性支持梁
１４ｂ  第二の絶縁正支持梁
１５  フィラメント
１５ａ  コイル部
１５ｂ  非コイル部
１６  支柱
１７  湾曲部位
１８ａ、１８ｂ  金属箔
１９  口金
１９ａ、１９ｂ  棒状電極端子
２０ａ、２０ｂ  導電線
２１ａ、２１ｂ  金属箔
５０、６０  電球
５１ａ、５１ｂ  外部リード棒
５２  透光性バルブ
５３ａ、５３ｂ  内部リード棒
５４  フィラメント
５４ａ  コイル部
５４ｂ  非コイル部
５５ａ、５５ｂ  ガラス片
５６  アンカー線
６１  支柱
６２  コイルセグメント
６３  サブコイル
６４  接続部材                                                                     
【図１】
2007250375.tif 000003
【図２】
2007250375.tif 000004
【図３】
2007250375.tif 000005
【図４】
2007250375.tif 000006
【図５】
2007250375.tif 000007
【図６】
2007250375.tif 000008